(57)【要約】      （修正有）【課題】交流電力に接続できるＬＥＤランプ明度調整回路及び該明度調整回路を用いるＬＥＤ点灯装置に関し、特に、光調節器がＬＥＤランプの明るさを変更することを可能にする明度調整回路を提供する。【解決手段】ＬＥＤランプ明度調整回路は、調節回路、複数の整流ダイオード及び複数のフィルタリングコンデンサを有する。各フィルタリングコンデンサは、ＬＥＤモジュールと並列に接続できる。前記ＬＥＤランプ明度調整回路は、光調節器の出力電極に接続されている。前記光調節器の制御に基づいて、前記調節回路は、調整された交流入力電圧を生成する。正及び負の半サイクルの調整された交流入力電圧は、別々の対応するＬＥＤモジュールを駆動すべく、整流され、またフィルター処理される。それゆえ、ＬＥＤモジュールの駆動電圧の振幅は、発光の明るさを調整すべく制御される。【選択図】図１
0003162261.tif 000002
【実用新案登録請求の範囲】
【請求項１】
光調節器の出力電極に接続されている第１の電極及び交流電源に接続されている第２の電極を有し、並列に接続されている複数の抵抗を含む調整回路であって前記光調節器の制御に応じて所望の振幅を有する調節された入力電圧を出力する調節回路と、
陰極及び前記調節回路の前記第１の電極に接続されている陽極を有する第１の整流ダイオードと、
前記第１の整流ダイオードの前記陰極に接続されている正極及び前記調節回路の前記第２の電極に接続されている負極を有する第１のフィルタリングコンデンサと、
陰極及び前記調節回路の前記第２の電極に接続されている陽極を有する第２の整流ダイオードと、
前記第２の整流ダイオードの前記陰極に接続されている正極及び前記調節回路の前記第１の電極に接続されている負極を有する第２のフィルタリングコンデンサとを含み、
前記第１のフィルタリングコンデンサは、第１のＬＥＤモジュールと並列に接続可能であり、
前記第２のフィルタリングコンデンサは、第２のＬＥＤモジュールと並列に接続可能である、ＬＥＤランプ明度調整回路。
【請求項２】
前記調節回路の前記複数の抵抗は、一つの同じ抵抗値を有する、請求項１に記載のＬＥＤランプ明度調整回路。
【請求項３】
前記調節回路の前記第２の電極及び前記第２の整流ダイオードの前記陽極の間に接続されている電流制限抵抗を含む、請求項１又は２に記載のＬＥＤランプ明度調整回路。
【請求項４】
前記調節回路の前記第１の電極及び前記光調節器の間に接続されているヒューズを含む請求項３に記載のＬＥＤランプ明度調整回路。
【請求項５】
前記第１の整流コンデンサを通過する第１の整流された駆動電圧は、前記第１のＬＥＤモジュールを駆動し、
前記第２の整流コンデンサを通過する第２の整流された駆動電圧は、前記第２のＬＥＤモジュールを駆動し、
前記第１の整流された駆動電圧及び前記第２の整流された駆動電圧は交互に生成される、請求項１に記載のＬＥＤランプ明度調整回路。
【請求項６】
交流電源の第１の交流入力電極に接続されている入力電極を有する光調節器と、
前記光調節器の出力電極に接続されている第１の電極及び前記交流電源の第２の交流入力電極に接続されている第２の電極を有し、並列に接続されている複数の抵抗を含む調節回路であって前記光調節器の制御に応えて所望の振幅を有する調節された入力電圧を出力する調節回路と、
陰極及び前記調節回路の前記第１の電極に接続されている陽極を有する第１の整流ダイオードと、
前記第１の整流ダイオードの前記陰極に接続されている正極及び前記調節回路の前記第２の電極に接続されている負極を有する第１のフィルタリングコンデンサと、
前記第１のフィルタリングコンデンサと並列に接続された第１のＬＥＤモジュールと、
陰極及び前記調節回路の前記第２の電極に接続されている陽極を有する第２の整流ダイオードと、
前記第２の整流ダイオードの前記陰極に接続されている正極及び前記調節回路の前記第１の電極に接続されている負極を有する第２のフィルタリングコンデンサと、
前記第２のフィルタリングコンデンサと並列に接続された第２のＬＥＤモジュールとを含む、ＬＥＤ照明装置。
【請求項７】
前記調節回路の前記複数の抵抗は、一つの同じ抵抗値を有する、請求項６に記載のＬＥＤ照明装置。
【請求項８】
前記調節回路の前記第２の電極及び前記第２の整流回路の前記陽極の間に接続されている電流制限抵抗を含む、請求項６又は７に記載のＬＥＤ照明装置。
【請求項９】
前記調節回路の前記第１の電極及び前記光調節器の間に接続されているヒューズを含む、請求項８に記載のＬＥＤ照明装置。
【請求項１０】
前記第１の整流コンデンサを通過する第１の整流された駆動電圧は、前記第１のＬＥＤモジュールを駆動し、
前記第２の整流コンデンサを通過する第２の整流された駆動電圧は、前記第２のＬＥＤモジュールを駆動し、
前記第１の整流された駆動電圧及び前記第２の整流された駆動電圧は交互に生成される、請求項６に記載のＬＥＤ照明装置。
【考案の詳細な説明】
【技術分野】
【０００１】
本考案は、交流電力に接続できるＬＥＤランプ明度調整回路及び該明度調整回路を用いるＬＥＤ点灯装置に関し、特に、光調節器がＬＥＤランプの明るさを変更することを可能にする明度調整回路に関する。
【背景技術】
【０００２】
光可調ランプは、しばしば、くつろいだ雰囲気の提供に利用される。図２を参照するに、従来の光可調ランプは、主に、白熱灯１０１及び直列に接続された光調節器１０２を含む。光調節器１０２は、ＤＩＡＣ（交流用ダイオード）及びＴＲＡＩＡＣ（交流用トリオード）のようなシリコン制御要素を備える。前記シリコン制御要素に適用されるトリガー電圧を変えることにより、前記シリコン制御要素の導通角は、白熱灯１０１を通過する交流電圧を制御し、これによって所望の水準に白熱灯１０１の明度を調整すべく、調節される。
【考案の概要】
【考案が解決しようとする課題】
【０００３】
ＬＥＤベースのランプは、照明装置としてますます利用され、エネルギーの保存及び電力消費の削減を目的として、従来の白熱灯に置き換わろうとしている。前記ＬＥＤベースのランプは低い直流電圧で駆動されるが、光調節器１０２は、前記直流電圧を直接調整できず、また前記ＬＥＤベースのランプの明度を調節できない。それゆえ、利用者は、既存の光調節器に代えて特定の調節器を利用し、全てのオリジナルの関連制御回路をほとんど放棄しなければならない。
【０００４】
その欠点を克服すべく、本考案は、上記の問題を軽減又は解消するように、交流電力に接続できるＬＥＤランプ明度調整回路を提供する。
【０００５】
本考案の主な目的は、光調節器がＬＥＤランプの明度を変える明度調整回路を含むＬＥＤランプ明度調整回路を提供することである。
【課題を解決するための手段】
【０００６】
その目的を達成すべく、前記ＬＥＤランプ明度調整回路は、調節回路、複数の整流ダイオード及び複数のフィルタリングコンデンサを含む。各フィルタリングコンデンサは、ＬＥＤモジュールと並列に接続できる。前記ＬＥＤランプ明度調整回路は、交流電圧を受ける光調節器の出力電極に接続されている。前記光調節器は前記交流電圧の振幅を調整するので、前記調節回路は、調整された交流入力を生成する。さらに、前記調節された正又は負の半サイクルの交流入力電圧は、別々の対応するＬＥＤモジュールを駆動すべく、整流され、またフィルタ処理される。前記ＬＥＤモジュールの駆動電圧の振幅が調整されるので、発光の明度は、利用者の要求に従って変化させることができる。
【０００７】
本考案のその他の目的、利点及び新規な特徴は、添付図面を参照し、以下の詳細な説明から明らかになる。
【図面の簡単な説明】
【０００８】
【図１】本考案に従った、交流電力に接続されるＬＥＤランプ明度調整回路の回路図である。
【図２】従来の光量可調ランプの回路図である。
【考案を実施するための形態】
【０００９】
図１を参照するに、本考案によるＬＥＤランプ明度調整回路は、光調節器１０２により操作され、また調節回路１０、第１の整流ダイオードＤ１、第２の整流ダイオードＤ２、第１のフィルタリングコンデンサＣ１、第２のフィルタリングコンデンサＣ２及び電流制限抵抗Ｒ４を含む。光調節器１０２は、交流電源の第１の交流入力電極ＡＣ１に接続された入力電極を有する。
【００１０】
調節回路１０は、第１の電極及び第２の電極を有し、また並列に接続された複数の抵抗Ｒ１からＲ３を含む。前記第１の電極は、光調節器１０２の出力電極に結合されている。前記第２の電極は、前記交流電源の第２の交流入力電極ＡＣ２に結合されている。任意のヒューズＦ１は、過電流を防止すべく、レギュレータ１０２と調節回路１０との間に接続されている。本実施例における調節回路１０の抵抗Ｒ１からＲ３は、同一の抵抗値を有する。調節回路１０は、光調節器１０２が線形的に前記交流電圧を調整し、また前記第１の電極及び第２の電極を通過する調節された入力電圧Vinを生成することを可能にする。
【００１１】
第１の整流ダイオーＤ１は陽極及び陰極を有し、前記陽極は調節回路１０の第１の電極に接続され、また前記陰極は第１のフィルタリングコンデンＣ１に接続されている。
【００１２】
第１のフィルタリングコンデンサＣ１は、正極及び負極を有する。前記正極は、第１の整流ダイオードＤ１の前記陰極に接続されている。電流制限抵抗Ｒ４は、調節回路１０の前記第２の電極と第１のフィルタリングコンデンサＣ１の前記負極との間に接続されている。第１のフィルタリングコンデンサＣ１は、直列に接続されている複数の発光ダイオードＬＥＤ１からＬＥＤ４０を含む第１のＬＥＤモジュール２０と並列に接続されている。第１のＬＥＤモジュール２０は、第１のフィルタリングコンデンサＣ１の前記正極に対応して接続する正の入力と、第１のフィルタリングコンデンサＣ１の前記負極に対応して接続する負の入力とを有する。
【００１３】
第２の整流ダイオードＤ２は陽極及び陰極を有し、前記陽極は、電流制御抵抗Ｒ４を介して第２の交流入力電極ＡＣ２に接続され、また前記陰極は、第２のフィルタリングコンデンサＣ２に接続されている。
【００１４】
第２のフィルタリングコンデンサＣ２は、正極及び負極を有する。前記正極は、第２の整流ダイオードＤ２の前記陰極と接続されている。前記負極は、調節回路１０の前記第１の電極と、整流ダイオードＤ１の前記陽極とに接続されている。第２のフィルタリングコンデンサＣ２は、直列に接続されている複数の発行ダイオードＬＥＤ４１からＬＥＤ８０を含む第２のＬＥＤモジュール３０と並列に接続することができる。第２のＬＥＤモジュール３０は、第２のフィルタリングコンデンサの前記正極に対応して接続する正の入力と、第２のフィルタリングコンデンサの前記負極に対応して接続する負の入力とを有する。
【００１５】
２つの交流入力電極ＡＣ１、ＡＣ２から交流電圧が入力されるから、光調節器１０２は、調節された入力電圧Vinを調整するように交流電圧の振幅を調節することができる。それゆえ、第１及び第２のフィルタリングコンデンサＣ１、Ｃ２を通過する駆動電圧が変化する。第１及び第２のＬＥＤモジュール２０、３０は、第１及び第２のフィルタリングコンデンサＣ１、Ｃ２にそれぞれ接続されるので、ＬＥＤモジュール２０、３０を流れる駆動電流は、発光の明度を調整すべく変更される。前記交流電圧が正の半サイクルのとき、正の半サイクルの電圧は、第１の整流ダイオードＤ１を通過し、第１のＬＥＤモジュール２０を活性化する第１の駆動電圧を提供すべく第１のフィルタリングコンデンサＣ１によりフィルタ処理される。前記交流電圧が負の半サイクルのとき、負の半サイクルの電圧は、第２の整流ダイオードＤ２を通過し、ＬＥＤモジュール３０を活性化する第２の駆動電圧を提供すべく第２のフィルタリングコンデンサＣ２によりフィルタ処理される。第１の整流駆動電圧及び第２の整流駆動電圧は、交互に生成される。
【００１６】
本考案の前記明度調整回路は、光調節器１０２が前記受電交流電圧の振幅を調整し、かつ、調節された入力電圧Vinを生成することを可能にする。正又は負の半サイクルの入力電圧Vinは、さらに、ＬＥＤモジュール２０、３０を駆動し、かつ、ＬＥＤモジュール２０、３０の明度を変更すべく、整流ダイオードＤ１及びＤ２並びにフィルタリングコンデンサＣ１及びＣ２により整流及びフィルタ処理される。
【００１７】
前述のように、本考案の構造および機能の詳細と共に、本考案の多数の特徴および利点が示されているが、実施例を開示するに過ぎない。添付の実用新案登録の範囲の用語の広義の一般的意味によって示される全範囲にわたって、特に考案の原理の範囲内で、形状、寸法、部品の調整において詳細に変更される。
【符号の説明】
【００１８】
１０    調節回路
２０    第１のＬＥＤモジュール
３０    第２のＬＥＤモジュール
１０２    光調節器
Ｒ１    第１の抵抗
Ｒ２    第２の抵抗
Ｒ３    第３の抵抗
Ｒ４    電流制限抵抗
Ｄ１    第１の整流ダイオード
Ｄ２    第２の整流ダイオード
Ｃ１    第１のフィルタリングコンデンサ
Ｃ２    第２のフィルタリングコンデンサ
Ｆ１    ヒューズ
【図１】
0003162261.tif 000003
【図２】
0003162261.tif 000004